(57)【要約】【課題】異なる直径の電源コードを同じ締め付け力で固定することができる差込プラグを提供する。【解決手段】差込プラグ１はベース２に形成された挿通口９の内側に電源コード７を配置するためのコード受け部１０を形成し、コード受け部１０の左右両側に挿通口９から内側方向に向かう階段状のねじ穴形成面１１を形成し、ねじ穴形成面１１に押さえ板１３のねじ挿通孔１４と対向するねじ穴１２を各段に形成する。電源コード７はコード受け部１０に配置して押さえ板１３で押さえ、両側のねじ挿通孔１４に固定ねじ１５を挿通させて複数段のねじ穴形成面１１から電源コード７の太さに応じて適当なねじ穴形成面１１を選択してねじ穴１２に螺着することにより電源コード７を押さえ板１３とコード受け部１０で挟持して固定する。【選択図】図１
2007141580.tif 000002
【特許請求の範囲】
【請求項１】
ケースの一側面に栓刃を突設し、他の一側面に前記栓刃と電気的に接続される電源コードの挿通口を形成し、該挿通口に挿通された前記電源コードを押さえ板により前記ケースの内面に形成されたコード受け部に押圧し、前記押さえ板の両端に形成されたねじ挿通孔に固定ねじを挿通させて前記ケースの内面に形成されたねじ穴に螺着し、前記電源コードを挟持固定して成る差込プラグにおいて、前記ケースのねじ穴形成面を前記挿通口から内側方向に向けて階段状に形成し、各段に前記ねじ穴を形成したことを特徴とする差込プラグ。
【請求項２】
前記押さえ板及び前記コード受け部の一方又は両方のコード当接面に滑り止めを設けたことを特徴とする請求項１に記載の差込プラグ。
【発明の詳細な説明】
【技術分野】
【０００１】
本発明は、電源コードの先端に設けられる差込プラグに関する。
【背景技術】
【０００２】
一般に接地極を有する３極型の差込プラグに接続される電源コードは３本の電線を収束して構成しているので直径が太い。この直径の太い電源コードを差込プラグのケースに固定する構造としては、例えば、ケースの一側面に形成された挿通口の内側にコード受け部を形成し、このコード受け部に電源コードを当接させて横長の押さえ板で押さえ、押さえ板の両端に固定ねじを挿通させてケースの内面に形成されたねじ穴に螺着することにより電源コードを挟持して固定していた（例えば、特許文献１参照。）。
【０００３】
【特許文献１】特開２００５−１３５６１５号公報
【発明の開示】
【発明が解決しようとする課題】
【０００４】
差込プラグに接続される電源コードは電気機器の消費電力に応じて直径が異なる場合があり、従来の差込プラグでは電源コードの太さによって締め付け力にばらつきが生じ、細い電源コードを固定した場合は締め付け力が弱いことがあり、コード部が引っ張られると栓刃との接続部に力がかかって断線する虞があるし、太い電源コードを固定した場合は固定ねじの締め付け過ぎによりコード部が押し潰されて芯線を傷める虞があった。
【課題を解決するための手段】
【０００５】
本発明は、請求項１に記載の発明によれば、ケースの一側面に栓刃を突設し、他の一側面に栓刃と電気的に接続される電源コードの挿通口を形成し、挿通口に挿通された電源コードを押さえ板によりケースの内面に形成されたコード受け部に押圧し、押さえ板の両端に形成されたねじ挿通孔に固定ねじを挿通させてケースの内面に形成されたねじ穴に螺着し、電源コードを挟持固定して成る差込プラグにおいて、ケースのねじ穴形成面を挿通口から内側方向に向けて階段状に形成し、各段にねじ穴を形成したことを特徴とする。
【０００６】
請求項２に記載の発明によれば、請求項１に記載の差込プラグにおいて、押さえ板及びコード受け部の一方又は両方のコード当接面に滑り止めを設けたことを特徴とする。
【発明の効果】
【０００７】
請求項１に記載の発明によれば、異なる直径の電源コードを同じ締め付け力で固定することができるという効果がある。
【０００８】
請求項２に記載の発明によれば、請求項１に記載の発明の効果に加えて、電源コードの固定を強化することができるという効果がある。
【発明を実施するための最良の形態】
【０００９】
差込プラグはベースに形成された挿通口の内側に電源コードを配置するためのコード受け部を形成し、コード受け部の左右両側に挿通口から内側方向に向かう階段状のねじ穴形成面を形成し、ねじ穴形成面に押さえ板のねじ挿通孔と対向するねじ穴を各段に形成する。電源コードはコード受け部に配置して押さえ板で押さえ、両側のねじ挿通孔に固定ねじを挿通させて複数段のねじ穴形成面から電源コードの太さに応じて適当なねじ穴形成面を選択してねじ穴に螺着することにより電源コードを押さえ板とコード受け部で挟持して固定する。
【実施例１】
【００１０】
本発明に係る差込プラグの実施例１を図１〜図４の添付図面に基づいて説明する。
【００１１】
差込プラグ１はベース２とカバー３とでケースを構成し、３極型の場合、ベース２の一側面に２本の平型の栓刃５が離間して突設され、この２本の栓刃５と離間して接地極を成す１本の略Ｕ字状の栓刃６が突設されている。
【００１２】
また、ベース２とカバー３が接合する面に半円部が夫々切り欠き形成され、接合時に円形となって電源コード７が挿通する挿通口９が設けられている。ベース２の挿通口９は内側方向に半円部が延設されて電源コード７が配置されるコード受け部１０が形成されている。
【００１３】
コード受け部１０と対向して配置される横長の押さえ板１３は中央部が円弧状に形成され、両端部に固定ねじ１５が挿通するためのねじ挿通孔１４が形成されている。そして、押さえ板１３のねじ挿通孔１４と対向するコード受け部１０の両側はねじ穴形成面１１が挿通口９から内側方向に向けて低くなる階段状に３段に形成され、ねじ穴形成面１１の各段には固定ねじ１５が螺合するねじ穴１２が形成されている。
【００１４】
このようにして形成された差込プラグ１に電源コード７を固定するには、まず、ベース２からカバー３を取り外し、次にベース２のコード受け部１０に電源コード７を当接させ、それから押さえ板１３で電源コード７を押さえて両側のねじ挿通孔１４に固定ねじ１５を挿通させて複数段のねじ穴形成面１１から電源コード７の太さに応じて適当なねじ穴形成面１１を選択してねじ穴１２螺着することにより電源コード７を押さえ板１３とコード受け部１０で挟持して固定する。従って、太い電源コード７を固定する場合は、図３に示すように押さえ板１３を挿通口９から近い位置の上段のねじ穴形成面１１に固定し、細い電源コード７を固定する場合は、図４に示すように押さえ板１３を挿通口９から遠い位置の下段のねじ穴形成面１１に固定することとなる。このようにねじ穴形成面１１を複数段に形成したことにより電源コード７の太さに応じて押さえ板１３の固定位置を変更して異なる直径の電源コードを同じ締め付け力で固定することができる。こうして、電源コード７を固定した後は、電源コード７内の各電線８を対応する栓刃５，６に電気的に接続し、接続が完了したらベース２にカバー３を取り付ける。
【００１５】
尚、本実施例では３極型の差込プラグについて説明したが、２極型の差込プラグに適用することも可能である。また、固定部材及びコード受け部の一方又は両方のコード当接面に滑り止めを設けることにより電源コードの固定を強化することができる。また、本実施例ではねじ穴形成面が３段に形成されているが複数段であれば何段に形成してもよく、その他の形状及び構造についても本発明の趣旨を逸脱しない範囲において適宜に変更して実施することも可能である。
【図面の簡単な説明】
【００１６】
【図１】本発明に係る差込プラグを示す分解斜視図である。
【図２】本発明に係る差込プラグに電源コードを固定した状態を示し、カバーを取り外した状態の正面図である。
【図３】本発明に係る差込プラグに太い電源コードを固定した状態を示し、カバーを取り外した状態の正面図である。
【図４】本発明に係る差込プラグに細い電源コードを固定した状態を示し、カバーを取り外した状態の正面図である。
【符号の説明】
【００１７】
１    差込プラグ
２    ベース
７    電源コード
１０    コード受け部
１１    ねじ穴形成面
１２    ねじ穴
１３    押さえ板
１４    ねじ挿通孔
１５    固定ねじ
【図１】
2007141580.tif 000003
【図２】
2007141580.tif 000004
【図３】
2007141580.tif 000005
【図４】
2007141580.tif 000006